(57)【要約】【課題】優れた導光性能によりつねに適正なストロボ発光を保証し、組付け性等を有効に向上するとともに、安価なストロボ発光装置を提供する。【解決手段】被写体を照明するためのストロボ発光部と、調光センサ２２の受光量に基づきストロボ発光部の発光量を制御する発光量制御手段と、発光部からの光を発光量制御手段に導く導光装置３０とを備え、導光装置の射出部３０ａと調光センサの間に光路変更手段とレンズ手段を備えた光学部材６２を設ける。【選択図】  図３
2006030817.tif 000002
【特許請求の範囲】
【請求項１】
被写体を照明するためのストロボ発光部と、調光センサの受光量に基づき前記ストロボ発光部の発光量を制御する発光量制御手段と、前記発光部からの光を前記発光量制御手段に導く導光装置とを備えたストロボ発光装置であって、
前記導光装置の射出部と前記調光センサの間に光路変更手段と前記導光装置からの光を集光するためのレンズ手段を備えた光学部材を設けたことを特徴とするストロボ発光装置。
【請求項２】
前記調光センサは、前記光学部材から射出される光束径内に前記調光センサの受光面が収まる位置に配置されることを特徴とする請求項１に記載のストロボ発光装置。
【請求項３】
被写体を光学的に結像させる光学手段と、前記光学手段により作られた光学的被写体像を電気信号に変換する撮像手段と、前記撮像手段により撮影された被写体の画像信号を記録する記録手段と、撮影された画像を表示する表示手段とを具備した撮像装置であって、
請求項１又は２に記載のストロボ発光装置を備えたことを特徴とする撮像装置。
【発明の詳細な説明】
【技術分野】
【０００１】
本発明は、ストロボ発光装置及びこれを備えた撮像装置に関するものである。
【背景技術】
【０００２】
従来より、ストロボ発光部の光を導光装置により発光量制御手段に導き、発光量を制御するようにしたストロボ発光装置を備えたカメラが知られている。
【０００３】
また、撮影状態によって上記ストロボ発光部の角度が変化するカメラにおいては、ストロボ発光部と装置本体内にある発光量制御手段の間に導光装置として可撓性のあるファイバを設けることにより、ストロボ発光部と発光量制御装置の間の位置関係が変化してもストロボ発光部の光を発光量制御手段に導くようにしものがある（特許文献１参照）。
【０００４】
以下、図７により従来のストロボ発光装置を備えたカメラについて説明する。
【０００５】
図７は、従来のストロボ発光装置を備えたカメラの断面図であり、ストロボ発光部１００が発光位置にある状態を示している。図において、３０５は第一のユニットである上カバーユニットであり、ストロボ発光部１００を保持する。ストロボ発光部１００は、ストロボケース１２１、キセノン管１２２、キセノン管１２２の光を効率よく被写体へ照射するための反射笠１２３、ストロボパネル１２４、キセノン管１２２の放電を開始させるためのトリガをかけるためのトリガコイル１２５、ストロボカバー１２６から成る。
【０００６】
１２７は導光装置である光ファイバである。３０７はカプラである。光ファイバ１２７は一端をストロボパネル１２４に固定され、他端にカプラ３０７が固着している。カプラ３０７は固定ビス３０８により上カバーユニット３０５に固定されている。光ファイバ１２７は可撓性を持っているため、ストロボ発光部の移動（収納状態⇔発光状態）に応じて自由に変形が可能であり、ストロボ発光部１００の光を正しく調光センサー１０２に導くことが出来る。
【０００７】
３０６はカメラ本体ユニットであり、カメラ本体ユニット３０６は、上カバーユニット３０５に固定されている構成要素以外の構成要素を保持している。３０１はファインダスクリーン、３０２はペンタプリズム、３０４は測光センサ１０３に集光するための測光レンズである。
【０００８】
発光量制御手段である調光ユニット１３０はケース１３１、拡散板１３２、赤外カットフィルタ１３３、調光センサ１０２から成る。また、ケース１３１は不図示のファインダベースに設けられている。ケース１３１のカプラ３０７の対向する位置には発光量制御手段の受光部である穴部１３１ａが設けられおり、カプラ３０７の一部がケース１３１の穴部１３１ａに挿入されている。
【０００９】
光ファイバ１２７の射出部１２７ａから出た光は拡散板１３２の端面１３２ａに入射し、拡散される。この拡散された光は、端面１３２ａに対して９０°の角度方向の面１３２ｂから出射され、赤外カットフィルタ１３３を通過して、調光センサ１０２に入射する。
【００１０】
拡散板１３２は、光ファイバ１２７の射出部１２７ａから出た光を拡散させて指向性を弱めるとともに、光の向きを変える働きもしている。光ファイバ１２７の射出部１２７ａから出た光は拡散板１３２により拡散され、指向性が弱められてから調光センサ１０２に入射するので、光ファイバ１２７の射出部１２７ａと調光センサ１０２を正しく位置決めして対向させることなく調光センサ１０２の出力を適正化することができる。
【００１１】
また、拡散板１３２の拡散特性を変化させることにより、入射する光量と出射する光量の比を変えることができる。これにより絞りやＮＤフィルタを設けなくても調光センサ１０２に入射する光量を最適な量に調節することができる。
【００１２】
赤外カットフィルタ１３３は、ストロボ光の中の赤外成分を取り除き、撮影に使用される可視光線のみが調光センサ１０２に入射するようにするものである。調光センサ１０２は導光装置である光ファイバ１２７によって導かれたストロボ光が、予め設定された光量で受光されたとき、ストロボの発光停止信号を出力する受光センサである。
【００１３】
不図示のストロボ回路は調光センサ１０２からの発光停止信号を受けてキセノン管１２２への供給をカットして発光を停止させる。
【００１４】
前述したように、上記カメラの構成においては、簡単な構成でストロボ閃光装置の発光部から調光センサに導く光量を調節するようにし、組付け作業性を効果的に向上する等の利点を有している。
【特許文献１】特開２００２−１２２９１１
【発明の開示】
【発明が解決しようとする課題】
【００１５】
しかしながら、調光センサ１０２へ入射する光は、前述したように拡散板１３２によって拡散されたものであり、光ファイバ１２７の射出部１２７ａの光量に対しての光量低下は免れない。よって、調光センサ１０２は上記光量に対応するため、高感度なセンサが必要となりコストアップの要因となってしまう問題があった。
【００１６】
（発明の目的）
本発明の目的は、優れた導光性能により常に適正なストロボ発光を保証し、組付け性等を有効に向上するとともに、安価なストロボ発光装置及び撮像装置を提供しようとするものである。
【課題を解決するための手段】
【００１７】
上記目的を達成するために、請求項１に記載の発明は、被写体を照明するためのストロボ発光部と、調光センサの受光量に基づき前記ストロボ発光部の発光量を制御する発光量制御手段と、前記発光部からの光を前記発光量制御手段に導く導光装置とを備えたストロボ発光装置であって、前記導光装置の射出部と前記調光センサの間に光路変更手段と前記導光装置からの光を集光するためのレンズ手段を備えた光学部材を設けたストロボ発光装置とするものである。
【００１８】
同じく上記目的を達成するために、請求項２記載の発明は、前記調光センサが、前記光学部材から射出される光束径内に前記調光センサの受光面が収まる位置に配置する請求項１に記載のストロボ発光装置とするものである。
【００１９】
同じく上記目的を達成するために、請求項３に記載の発明は、被写体を光学的に結像させる光学手段と、前記光学手段により作られた光学的被写体像を電気信号に変換する撮像手段と、前記撮像手段により撮影された被写体の画像信号を記録する記録手段と、撮影された画像を表示する表示手段とを具備した撮像装置であって、請求項１又は２に記載のストロボ発光装置を備えた撮像装置とするものである。
【発明の効果】
【００２０】
本発明によれば、優れた導光性能により常に適正なストロボ発光を保証し、組付け性等を有効に向上するとともに、安価なストロボ発光装置又は撮像装置を提供できるものである。
【発明を実施するための最良の形態】
【００２１】
以下の実施例に示す通りである。
【実施例】
【００２２】
以下、図面に基づき、本発明の好適な実施例を説明する。
【００２３】
図１は、本発明の電子カメラの実施例を示すブロック図であり、図１を用いて本発明の電子カメラの構成を説明する。
【００２４】
図１において、１は電子カメラ全体を制御するＣＰＵ、２は撮影レンズ、３はレンズ駆動装置であり、図示しない焦点検出装置の出力により撮影レンズ２を動かし焦点調節を行う。４はシャッタ、５はシャッタチャージ・ミラー駆動機構であり、図示しないモータおよび駆動機構等からなり、シャッタ４をチャージするとともにミラー１７を待避位置と観察位置の間でアップダウンさせる。
【００２５】
７はＣＣＤ等からなる光電変換素子であり、撮影レンズ２で結像された被写体像を画像信号に変換する。８は画像処理手段であり、光電変換素子７の画像信号に様々な処理を行い画像データに変換する。９は画像データを記録する記録媒体であり、カメラ内蔵あるいは脱着可能な磁気記録装置や半導体メモリ等からなる。１０は記録手段であり、画像データを記録媒体９に記録する。
【００２６】
１２は電源、１５は撮影準備動作を開始するスイッチ（ＳＷ１）、１６はレリーズスイッチ（ＳＷ２）、１７は液晶ディスプレイ等からなる表示手段であり、撮影画像およびカメラの様々な情報を表示する。２０はストロボ閃光装置であるストロボ発光部であり、２１はストロボ回路、２２は調光センサ、２３は被写体の輝度を測定する測光センサである。
【００２７】
図２は、本発明のデジタルカメラの実施例における断面図であり、ストロボ発光部２０が収納位置にある状態を示している。
【００２８】
図２において、５０は第一のユニットである上カバーユニットであり、ストロボ発光部２０を保持する。ストロボ発光部２０は、ストロボケース２４、キセノン管２５、キセノン管２５の光を効率よく被写体へ照射するための反射笠２６、ストロボパネル２７、キセノン管２５の放電を開始させるためのトリガをかけるためのトリガコイル２８、ストロボカバー２９から成る。
【００２９】
３０は導光装置である光ファイバであり、光ファイバ３０は可撓性を持っている。５１はカプラである。光ファイバ３０は後述するように一端をストロボパネル２７に固定され、他端にカプラ５１が固着している。カプラ５１は固定ビス５２により上カバーユニット５０に固定されている。
【００３０】
５３は第二のユニットであるカメラ本体ユニットであり、カメラ本体ユニット５３は、上カバーユニット５０に固定されている構成要素以外の構成要素を保持している。５４はファインダスクリーン、５５はペンタプリズム、５５は測光センサ２３に集光するための測光レンズ、６０は発光量制御手段である調光ユニットである。
【００３１】
図３は前記調光ユニット６０の詳細図である。
【００３２】
図３において、前記調光ユニット６０はケース６１、反射面６２ａとレンズ面６２ｂを有する調光レンズ６２、赤外カットフィルタ６３、受光面２２ａを有する調光センサ２２から成り、ケース６１は不図示のファインダベース設けられている。ケース６１のカプラ５１の対向する位置には発光量制御手段の受光部である穴部６１ａが設けられおり、カプラ５１の一部がケース６１の穴部６１ａに挿入されている。
【００３３】
光ファイバ３０の射出部３０ａから出た光束３０ｂは、調光レンズ６２に入射し反射面６２ａによって屈曲しレンズ面６２ｂから出射される。射出された光束３０ｂは赤外カットフィルタ６３を通過して、調光センサ２２に入射する。
【００３４】
赤外カットフィルタ６３は、ストロボ光の中の赤外成分を取り除き、撮影に使用される可視光線のみが調光センサ２２に入射するようにするものである。調光センサ２２は導光装置である光ファイバ３０によって導かれたストロボ光が、ＣＰＵ１により設定された光量で受光されたとき、ストロボの発光停止信号を出力する受光センサである。
【００３５】
ストロボ回路２１はＣＰＵ１の命令に従って、図示しないストロボ発光用コンデンサの充電やストロボ発光部２０のトリガコイル２８に電源を供給して、キセノン管２５の放電を開始させて発光させたり、あるいは調光センサ２２からの発光停止信号を受けてキセノン管２５への供給をカットして発光を停止させたりする。
【００３６】
尚、調光レンズ６２と調光センサ２２の位置関係は、レンズ面６２ｂの焦点３０ｃが調光センサ２２の受光面２２ａより後方に位置するようにしており、レンズ面６２ｂから射出される光束３０内に調光センサ２２の受光面２２ａが収まる位置関係としている。
【００３７】
こうすることにより、調光レンズ６２に対して調光センサ２２を正しく位置決めして対向させることなく調光センサ２２の出力を適正化することが可能となり、組み立て時の位置調整を廃止することが出来る。更には、光ファイバ３０からの光は、従来のように拡散板を介していないため殆ど減光することなく調光センサ２２へ入射されるため、調光センサ２２自体も安価なセンサを使用することが可能となる。
【００３８】
図４は、ストロボパネル２７、反射笠２６、キセノン管２５および光ファイバ３０の組立図である。図４において、２７ａは照射光を均一にするためのフレネルレンズであり、この構成によりキセノン管２５から出たストロボ光は、反射笠２６およびストロボパネル２７により撮影範囲の被写体を均一に効率良く照明する。
【００３９】
ストロボパネル２７のフレネルレンズ２７ａの側面にはファイバ挿入部２７ｂおよびファイバ挿入穴２７ｃが設けられている。ファイバ挿入穴２７ｃには光ファイバ３０が挿入され、フレネルレンズ２７ａに入射したストロボ光の一部が、ファイバ挿入部２７ｂの斜面２７ｄで反射してファイバ挿入穴２７ｃに挿入されている光ファイバ３０へ導かれる。
【００４０】
図５は、ストロボ発光部２０が発光位置にある場合の断面図である。ストロボ発光部２０は図示しないストロボ駆動装置により、図２の収納位置と図５の発光位置との間を移動する。ストロボ発光部２０が図５の発光位置にある場合でも、光ファイバ３０は可撓性を有するためにストロボ発光部２０の移動に応じて自由に変形できる。ファイバの長さが最短で、かつファイバの配置も一定であり、ストロボ発光部２０の光を正しく調光センサ２２に導くことができる。すなわち、ストロボ発光部と発光量制御手段の間の位置関係が変化する場合でも、導光装置の導光性能を安定させることができる。
【００４１】
次に、図８のフローチャートを用いて、この実施例におけるカメラのストロボモードの動作を説明する。
【００４２】
ステップＳ１００においてスタートする。ステップＳ１０１においてスイッチ（ＳＷ１）１５がオンしたかどうかを判断する。「Ｙｅｓ」ならばステップＳ１０２へ、「Ｎｏ」  ならばステップＳ１０１へ進む。ステップＳ１０２において測光センサ１０３  が、定常光下の被写体の輝度を測定する。ステップＳ１０３において図示しない焦点検出装置で焦点検出を行う。ステップＳ１０４においてレンズ駆動装置３が、図示しない焦点検出装置の出力に基づき撮影レンズ  ２を動かし焦点調節を行う。
【００４３】
ステップＳ１０６において図示しないストロボコンデンサの充電が完了しているかどうかを、ストロボコンデンサの電圧を測定して判断する。「Ｙｅｓ」ならばステップＳ１０８に、「Ｎｏ」ならばステップＳ１０７に進む。ステップＳ１０７においてストロボ回路１０１が、図示しないストロボコンデンサを充電を開始する。ステップＳ１０８においてストロボ回路１０１が、図示しないストロボコンデンサの充電を停止する。
【００４４】
ステップＳ１０９においてレリーズスイッチ（ＳＷ２）１６がオンされたかどうかを判断する。「Ｙｅｓ」ならばステップＳ１１０へ進み撮影動作を開始し、「Ｎｏ」ならばステップＳ１０９へ進む。ステップＳ１１０においてストロボ発光部１００が、予め設定されたプリ発光量でストロボをプリ発光する。ステップＳ１１１において測光装置でストロボのプリ発光における被写体輝度を測定する。ステップＳ１１２においてステップＳ１０２で測定した定常光下の被写体輝度と、ステップＳ１１１で測定したストロボのプリ発光における被写体輝度に基づいて、適正な露出になるストロボの本発光量を演算する。
【００４５】
ステップＳ１１３においてシャッタチャージ・ミラー駆動機構５がミラー１７を待避位置にアップさせる。ステップＳ１１４においてシャッタ４を開く。ステップＳ１１６においてストロボ発光部１００が、ステップＳ１１２で演算された本発光量でストロボを本発光する。ステップＳ１１７において光電変換素子７が、撮影レンズ２で結像された被写体像を画像信号に変換し、画像の撮込みを行う。
【００４６】
ステップＳ１１８においてシャッタ４を閉じる。ステップＳ１１９においてシャッタチャージ・ミラー駆動機構５が、ミラー１７を観察位置にダウンさせるとともに、シャッタ４をチャージする。
【００４７】
ステップＳ１２０において画像処理手段８が、光電変換素子７の画像信号に様々な処理を行い、画像データに変換する画像処理を行う。ステップＳ１２１において記録手段１０が画像データを記録媒体９に記録する。ステップＳ１２２において表示手段１７が、画像データを映像信号に変換し、撮影画像を表示しステップＳ１０１に進む。
【００４８】
以上、上記実施例においては、撮像装置としてデジタルカメラに本発明を適用した例を説明したが、その他に被写体を光学的に結像させる光学系と、この光学系により作られた光学的被写体像を記録するフィルムとを具備した、いわゆる銀塩カメラに対しても本発明は適用可能であり、本発明のストロボ発光装置を備えることにより上記実施形態と同様な作用効果を得ることができる。
【図面の簡単な説明】
【００４９】
【図１】本発明の実施例におけるデジタルカメラの構成例を示すブロック図である。
【図２】本発明の実施例におけるデジタルカメラの断面図である。
【図３】本発明の実施例におけるデジタルカメラの調光センサ部の組立図である。
【図４】本発明の実施例におけるデジタルカメラのストロボ発光部の組立図である。
【図５】本発明の実施例におけるデジタルカメラのストロボ発光部が発光位置にある場合の断面図である。
【図６】本発明の実施例におけるデジタルカメラのストロボモードの動作を説明するフローチャートである。
【図７】従来のデジタルカメラの断面図である。
【符号の説明】
【００５０】
１     ＣＰＵ
２     撮影レンズ
３     レンズ駆動装置
４     シャッタ
５     シャッタチャージ・ミラー駆動機構
７     光電変換素子
８     画像処理手段
９     記録媒体
１０   記録手段
１２   電源
１５   スイッチ（ＳＷ１）
１６   レリーズスイッチ（ＳＷ２）
１７   表示手段
２０   ストロボ発光部
２１   ストロボ回路
２２   調光センサ
２３   測光センサ
２４   ストロボケース
２５   キセノン管
２６   反射笠
２７   ストロボパネル
２８   トリガコイル
２９   ストロボカバー
３０   光ファイバ
５０   上カバーユニット
５３   本体ユニット
６０   調光ユニット
６１   ケース
６２   調光レンズ
６３   赤外カットフィルタ
【図１】
2006030817.tif 000003
【図２】
2006030817.tif 000004
【図３】
2006030817.tif 000005
【図４】
2006030817.tif 000006
【図５】
2006030817.tif 000007
【図６】
2006030817.tif 000008
【図７】
2006030817.tif 000009